(57)【要約】  基部(2)と、基部から延び、基端部、および垂直平面内で基端部よりも高いところに位置決めされる上端部を有する背部(10)と、前記背部に取り付けられ、1枚または複数枚のメモ用紙(5)を容易に見ることができる状態で保持するようになされる、複数の保持具(15)とを備える、メモ用紙ホルダ(1)を開示する。【選択図】  図１
2008534319.tif 000002
【特許請求の範囲】
【請求項１】
メモ用紙を保持するようになされた1つまたは複数の保管トレイを備える基部と、
前記基部から延びて、基端部と、垂直平面内で前記基部よりも高いところに位置決めされる上端部と、を有する背部と、
前記背部に取り付けられて、1つまたは複数の媒体シートを容易に見ることができる状態で保持するようになされた複数の垂直に延びる保持具と、を備える、メモ用紙ホルダ。
【請求項２】
前記媒体シートを保持するようになされた1つまたは複数の保管トレイをさらに備える、請求項1に記載のメモ用紙ホルダ。
【請求項３】
前記複数の保持具がそれぞれ前記背部と一体となっている、請求項1または2に記載のメモ用紙ホルダ。
【請求項４】
前記複数の保持具がそれぞれ可撓性要素を備え、該可撓性要素が前記背部に少なくとも1点で取り付けられており、前記背部の幅の少なくとも一部を横断して延びている、請求項1から3のいずれか一項に記載のメモ用紙ホルダ。
【請求項５】
前記可撓性要素が少なくとも2点で前記背部に取り付けられている、請求項4に記載のメモ用紙ホルダ。
【請求項６】
前記背部が複数の開口部を備え、各可撓性要素が該複数の開口部のうちの1つからそれぞれ延びている、請求項1から5のいずれか一項に記載のメモ用紙ホルダ。
【請求項７】
前記背部が金属からなる、請求項1から6のいずれか一項に記載のメモ用紙ホルダ。
【請求項８】
前記背部がプラスチックからなる、請求項1から6のいずれか一項に記載のメモ用紙ホルダ。
【請求項９】
重い粒状材料を保持する容器を具備する台を備える、請求項1から8のいずれか一項に記載のメモ用紙ホルダ。
【請求項１０】
前記保持具内で保持される前記1つまたは複数の媒体シートが2つ以上の保持具によって保持されてそれらの間に延びるように前記保持具が位置決めされている、請求項1から9のいずれか一項に記載のメモ用紙ホルダ。
【請求項１１】
前記1つまたは複数の媒体シートが前記垂直平面内で支持されている、請求項1から10のいずれか一項に記載のメモ用紙ホルダ。
【請求項１２】
前記媒体シートが前記垂直平面内に位置合せされるように前記保持具のほぼ中央に位置決めされた仕切りをさらに備える、請求項1から11のいずれか一項に記載のメモ用紙ホルダ。
【請求項１３】
前記媒体シートが、メモ用紙のシート、写真、名刺、プラスチック媒体、またはシート状に形成されたその他の媒体を含む、請求項1から12のいずれか一項に記載のメモ用紙ホルダ。
【請求項１４】
前記背部を前記垂直平面に対してある角度で位置決めすることができる、請求項1から13のいずれか一項に記載のメモ用紙ホルダ。
【発明の詳細な説明】
【技術分野】
【０００１】
本発明はメモ用紙を容易に見ることができる状態で把持するための直立型ホルダに関し、より詳細には、複数の保持クリップを用いて紙幣または写真フィルムなどのシート材料を吊すための直立型ホルダに関する。
【背景技術】
【０００２】
従来の直立型ホルダに関しては、いくつかの異なる実施形態が知られている。
【発明の開示】
【発明が解決しようとする課題】
【０００３】
しかし、従来の直立型ホルダは、異なる材料からなる複数の構成部品からなり、そのために製造が比較的複雑でかつ高価となる。さらに、公知のホルダは、一般に見た目が美しくなく、メモ用紙を複数のメモ用紙と共に容易に見ることができる状態で保管する、整然とした方法を組み込んでいない。
【課題を解決するための手段】
【０００４】
上記課題を解決するために、本発明によるメモ用紙ホルダは、基部と、基部から延びて、基端部と垂直平面内で基端部よりも高いところに位置決めされる上端部とを有する背部と、前記背部に取り付けられて、1つまたは複数のシートを容易に見ることができる状態で保持するようになされた複数の保持具と、を備える。
【０００５】
一つの形態では、基部は、媒体シートを保持するようになされた1つまたは複数の保管トレイを備える。
【０００６】
他の形態では、複数の保持具はそれぞれ、背部と一体である。
【０００７】
さらに他の形態では、複数の保持具はそれぞれ可撓性要素を備え、この可撓性要素は、少なくとも1点にて背部に取り付けられ、背部の幅の少なくとも一部を横断して延びる。
【０００８】
さらに他の形態では、背部は複数の開口部を備え、各可撓性要素が複数の開口部のうちの1つからそれぞれ延びている。
【０００９】
さらに他の形態では、重い粒状材料を保持する容器を具備した台を備えている。
【００１０】
メモ用紙ホルダの一実施形態を、添付の図面を参照しながら以下で説明する。ここで、図面および関連の説明の詳細は、上記の広範な説明の概念に優先するものでないと考えられるべきである。
【発明を実施するための最良の形態】
【００１１】
図1〜3には、基部2を備えるメモ用紙ホルダ1が示されている。ここで、基部2は台3および少なくとも1つの保管要素4を備える。台3は、机または別の表面(図示せず)上に置かれるようになされる。保管要素4は基部2および台3内に組み込まれており、この場合複数枚のメモ用紙5である複数の媒体シートを保持するようになされる。保管要素4は、複数枚のメモ用紙5を保持するように形状付けられた保管キャビティ9を備える。これらの複数枚のメモ用紙5は、片面粘着メモ用紙またはその他のメモ用紙の小片を含むことができる。
【００１２】
台3は中空の内部キャビティ8の周りの壁部7で構成される、閉じた容器6を備える。中空の内部キャビティ8は、砂などの重い粒状材料、水などの重い流体、あるいは、金属またはその他の重いブロックなど重い固体を保持する。あるいは、台3は、金属またはその他の重い材料からなる固体片を含む。
【００１３】
メモ用紙ホルダ1は、基部2から上向きに延びる背部10をさらに備える。背部10は、基端部11および上端部12を有する。背部10は、上端部12が垂直平面内で基部2よりも高いところに位置決めされるように基部2から上向きに延びるように設計される。一形態では、背部10は台3に対して垂直に延びる。別の形態では、背部10は湾曲またはジグザグ形状であるか、あるいは台に対して何らかの角度で延びる。
【００１４】
メモ用紙ホルダ1は、複数の保持具15をさらに備える。一形態では、複数の保持具15は、それぞれ背部10に取り付けられる。この形態では、複数の保持具15は、それぞれ背部10の幅の少なくとも一部を横断して延びる細長部材16を備える。細長部材16は、少なくとも1点で背部10に当接される。使用に際しては、複数枚のメモ用紙5を細長部材16の下に滑り込ませ、細長部材16が背部10に当接される点で背部10に対して固定することができる。細長部材16は、屈曲可能な金属またはプラスチックなどの可撓性材料で製作される。
【００１５】
背部10は、背部内に切削された複数の開口部17を備える。保持具15は、開口部17から背部10の幅の少なくとも一部を横断して延びる。
【００１６】
一形態では、保持具15は背部10と一体となっている。この形態では、背部10は保持具15の構成に適した、可撓性の金属またはプラスチック材料からなる。
【００１７】
一形態では、背部10は中空であり、内側背部(図示せず)を備え、内側背部は開口部17の後方で背部10の長さの少なくとも一部を上方に延びる。この形態では、複数の保持具15は内側背部を用いて取り付けられる。
【００１８】
一形態で、保持具15は、保持具15のほぼ中央に位置決めされる中央仕切り(図示せず)を備える。中央仕切りは保持具内に配置される媒体シートが該中央仕切りに当接するようになされ、媒体シートを容易に垂直に位置合せすることを可能にする。
【００１９】
一形態では、背部10は、背部10を垂直平面に対してある角度に位置決めすることができるように可動式または可撓性であり、保持具15によって保持された媒体シートを使用者が容易に見ることを可能にする。
【００２０】
使用に際しては、メモ用紙ホルダ1は机などの表面上に立てられる。使用者は、基部2上の保管要素4内に保管された複数枚のメモ用紙5を使用することができ、メモ用紙5上にメモを記すことができる。背部10は、メモ用紙をそこに挟むようになされる。各メモ用紙は、複数の保持具15のうちの1つまたは2つ以上によって把持することができる。したがってメモ用紙は容易に見ることができる状態で把持される。これは、メモ用紙の紛失を防ぎ、それらを見た目に美しいやり方で保管する。
【００２１】
添付の特許請求の範囲において、またメモ用紙ホルダの上記説明において、文脈によって要求される場合、あるいは表現された言語または必然的な含意による以外は、含むという語、あるいは、含む、または含んでいる、などの変化形は、包括的な意味で使用されるものである。すなわち、規定された特徴の存在を詳述するものであるが、メモ用紙ホルダの様々な実施形態におけるさらなる特徴の存在または追加を除外するものではない。 
メモ用紙ホルダの広い精神または範囲から逸脱することなく、上記で定義した部品に変形および/または修正を加えることができる。
【図面の簡単な説明】
【００２２】
【図１】メモ用紙ホルダを示す正面図である。
【図２】図1のA-Aを通る断面図である。
【図３】図1のB-Bを通る断面図である。
【符号の説明】
【００２３】
１…メモ用紙ホルダ、２…基部、３…台、４…保管要素、１０…背部、１５…保持具
【図１】
2008534319.tif 000003
【図２】
2008534319.tif 000004
【図３】
2008534319.tif 000005
【国際調査報告】
2008534319.tif 000006
2008534319.tif 000007